(57)【要約】  本発明は、スピーカー構造及びその磁気回路システムに関する。前記スピーカー構造は、ハウジングと、前記ハウジング内に設置される少なくとも１つの磁気回路システムと、少なくとも１つの振動系を含む。前記少なくとも１つの振動系は、前記少なくとも１つの磁気回路システムの磁界の作用で機械運動を発生可能な少なくとも１層の駆動路と、前記少なくとも１層の駆動路により駆動される振動板を含む。前記少なくとも１層の駆動路は、前記振動板に組み合わされ、且つ平面型をなしている。本発明におけるスピーカー構造は、振動系の駆動路が平面型をなしているため、スピーカー構造の厚さを効果的に減少させられる。【選択図】図３
2022502911.tif 000002
【特許請求の範囲】
【請求項１】
ハウジングと、前記ハウジング内に設置される少なくとも１つの磁気回路システムと、少なくとも１つの振動系を含み、前記少なくとも１つの振動系が、前記少なくとも１つの磁気回路システムの磁界の作用で機械運動を発生可能な少なくとも１層の駆動路と、前記少なくとも１層の駆動路により駆動される振動板を含むスピーカー構造であって、
前記少なくとも１層の駆動路は前記振動板に組み合わされ、且つ平面型をなしていることを特徴とするスピーカー構造。
【請求項２】
前記少なくとも１層の駆動路は少なくとも１層のコイルユニットを含み、前記少なくとも１層のコイルユニットは導線を巻き付けてなり、且つ平面型をなしていることを特徴とする請求項１に記載のスピーカー構造。
【請求項３】
前記少なくとも１つの磁気回路システムは、前記少なくとも１層のコイルユニットの真下にアレイ状に配列される複数の磁性体を含み、各磁性体の２つの磁極はそれぞれ上側と下側に位置し、且つ隣り合う磁性体の極性は逆向きであることを特徴とする請求項２に記載のスピーカー構造。
【請求項４】
前記複数の磁性体は間隔を置いて配列される３つの磁性体を含み、前記３つの磁性体のうち１つ目の磁性体と２つ目の磁性体の間に第１隙間が形成されており、前記３つの磁性体のうち２つ目の磁性体と３つ目の磁性体の間に第２隙間が形成されており、前記少なくとも１層のコイルユニットは動作過程における電流の方向が逆向きの２つ平直部分を含み、前記２つの平直部分は、それぞれ前記第１隙間と前記第２隙間に対応して設置されることを特徴とする請求項３に記載のスピーカー構造。
【請求項５】
前記少なくとも１層のコイルユニットは、導線を螺旋状に１つの平面内で巻くことでなることを特徴とする請求項４に記載のスピーカー構造。
【請求項６】
前記少なくとも１層のコイルユニットはトラック型をなしており、
前記３つの磁性体はいずれも長尺状をなしており、且つ平行に間隔を置いて配列されることを特徴とする請求項５に記載のスピーカー構造。
【請求項７】
前記複数の磁性体は、部分的に永久磁石又は電磁石を少なくとも含むことを特徴とする請求項３〜６のいずれか１項に記載のスピーカー構造。
【請求項８】
前記少なくとも１層のコイルユニットは少なくとも２層のコイルユニットを含み、前記少なくとも２層のコイルユニットは、直列に接続され、且つ上下に積層されており、
前記少なくとも２層のコイルユニットは、動作過程における電流の方向が同じであることを特徴とする請求項２〜６のいずれか１項に記載のスピーカー構造。
【請求項９】
前記少なくとも１つの振動系はフレームを含み、前記振動板はフィルム及び基板を含み、前記フレームは前記磁気回路システムの真上に水平に配置されており、前記フィルムは周縁で前記フレームに組み合わされ、
前記基板は、裏面で前記フィルムの中央部の正面に組み合わされるとともに、前記フレームに対して上下動可能であり、
前記少なくとも１層のコイルユニットは裏面で前記基板の正面に組み合わされることを特徴とする請求項８に記載のスピーカー構造。
【請求項１０】
前記少なくとも１つの磁気回路システムは２つの磁気回路システムを含み、前記２つの磁気回路システムは上下に配置され、
前記少なくとも１つの振動系は前記２つの磁気回路システムの間に設置されることを特徴とする請求項２〜６のいずれか１項に記載のスピーカー構造。
【請求項１１】
前記少なくとも１つの振動系は２つの振動系を含み、前記２つの振動系は上下に間隔を置いて配置され、且つ前記２つの磁気回路システムにそれぞれ対応していることを特徴とする請求項１０に記載のスピーカー構造。
【請求項１２】
前記振動板は回路基板を含み、前記少なくとも１層の駆動路は前記回路基板に印刷されることを特徴とする請求項１に記載のスピーカー構造。
【請求項１３】
前記回路基板はフレキシブル基板を含むことを特徴とする請求項１２に記載のスピーカー構造。
【請求項１４】
前記磁気回路システムは、平行に間隔を置いて配列される複数の第１磁性体を含み、隣り合う２つの第１磁性体ごとに、極性が上下に交互に配置されるか、左右に交互に配置されることを特徴とする請求項１、１２又は１３に記載のスピーカー構造。
【請求項１５】
前記少なくとも１層の駆動路は複数の平直路を含み、前記平直路は、隣り合う２つの第１磁性体の間における各駆動空間の真上に対応して設置されることを特徴とする請求項１４に記載のスピーカー構造。
【請求項１６】
前記磁気回路システムは、前記複数の第１磁性体と間隔を置いて交互に配列される複数の第２磁性体を含み、隣り合う２つの第１磁性体ごとに極性が上下に交互に配置され、隣り合う２つの第２磁性体ごとに極性が左右に交互に配置されることを特徴とする請求項１４に記載のスピーカー構造。
【請求項１７】
スピーカー構造に用いられる磁気回路システムであって、
磁性体アレイを含み、前記磁性体アレイは平行に間隔を置いて配列される複数の第１磁性体を含み、隣り合う２つの第１磁性体ごとに、極性が上下／左右に交互に配置されることを特徴とする磁気回路システム。
【請求項１８】
前記第１磁性体は、永久磁石及び／又は電磁石を含むことを特徴とする請求項１７に記載の磁気回路システム。
【請求項１９】
前記磁性体アレイは複数の第２磁性体を更に含み、前記複数の第２磁性体は前記複数の第１磁性体と間隔を置いて交互に配列され、隣り合う２つの第２磁性体ごとに、極性が左右／上下に交互に配置されることを特徴とする請求項１７に記載の磁気回路システム。
【発明の詳細な説明】
【技術分野】
【０００１】
本発明は音響学の分野に関し、より具体的には、スピーカー構造及びその磁気回路システムに関する。
【背景技術】
【０００２】
スピーカー構造は電気音響デバイスの一種であり、電気信号を音声信号に変換する作用を奏する。現在の薄型化傾向に伴って、スピーカー構造のサイズに対する要求も一段と厳しいものになっている。
【０００３】
関連技術のスピーカー構造には、可動鉄片ユニットと可動コイルユニットが含まれる。可動鉄片ユニットは、ドライブロッドで振動板を振動させることで、その振動により音声を発生させる。このような構造のスピーカー構造は、外形が規則的で体積も小さいが、構造が複雑であり、高コストである。一方、可動コイルユニットは構造が比較的シンプルであり、低コストであるが、外形が不規則でサイズが大変大きい。
【発明の概要】
【発明が解決しようとする課題】
【０００４】
本発明が解決しようとする技術的課題は、改良型のスピーカー構造及びその磁気回路システムを提供することである。
【課題を解決するための手段】
【０００５】
本発明が技術的課題を解決するために用いる技術方案は以下の通りである。
【０００６】
ハウジングと、前記ハウジング内に設置される少なくとも１つの磁気回路システムと、少なくとも１つの振動系を含むスピーカー構造を構成する。前記少なくとも１つの振動系は、前記少なくとも１つの磁気回路システムの磁界の作用で機械運動を発生可能な少なくとも１層の駆動路と、前記少なくとも１層の駆動路により駆動される振動板を含む。前記少なくとも１層の駆動路は、前記振動板に組み合わされ、且つ平面型をなしている。
【０００７】
一部の実施例において、前記少なくとも１層の駆動路は少なくとも１層のコイルユニットを含む。前記少なくとも１層のコイルユニットは導線を巻き付けてなり、且つ平面型をなしている。
【０００８】
一部の実施例において、前記少なくとも１つの磁気回路システムは、前記少なくとも１層のコイルユニットの真下にアレイ状に配列される複数の磁性体を含む。各磁性体の２つの磁極はそれぞれ上側と下側に位置し、且つ隣り合う磁性体の極性は逆向きである。
【０００９】
一部の実施例において、前記複数の磁性体は間隔を置いて配列される３つの磁性体を含む。前記３つの磁性体のうち１つ目の磁性体と２つ目の磁性体の間に第１隙間が形成されており、前記３つの磁性体のうち２つ目の磁性体と３つ目の磁性体の間に第２隙間が形成されている。前記少なくとも１層のコイルユニットは動作過程における電流の方向が逆向きの２つ平直部分を含む。前記２つの平直部分は、それぞれ前記第１隙間と前記第２隙間に対応して設置される。
【００１０】
一部の実施例において、前記少なくとも１層のコイルユニットは、導線を螺旋状に１つの平面内で巻くことでなる。
【００１１】
一部の実施例において、前記少なくとも１層のコイルユニットはトラック型をなしている。前記３つの磁性体はいずれも長尺状をなしており、且つ平行に間隔を置いて配列される。
【００１２】
一部の実施例において、前記複数の磁性体は、部分的に永久磁石又は電磁石を少なくとも含む。
【００１３】
一部の実施例において、前記少なくとも１層のコイルユニットは少なくとも２層のコイルユニットを含む。前記少なくとも２層のコイルユニットは、直列に接続され、且つ上下に積層されている。前記少なくとも２層のコイルユニットは、動作過程における電流の方向が同じである。
【００１４】
一部の実施例において、前記少なくとも１つの振動系はフレームを含み、前記振動板はフィルム及び基板を含む。前記フレームは前記磁気回路システムの真上に水平に配置されている。前記フィルムは周縁で前記フレームに組み合わされる。前記基板は、裏面で前記フィルムの中央部の正面に組み合わされるとともに、前記フレームに対して上下動可能である。前記少なくとも１層のコイルユニットは裏面で前記基板の正面に組み合わされる。
【００１５】
一部の実施例において、前記少なくとも１つの磁気回路システムは２つの磁気回路システムを含む。前記２つの磁気回路システムは上下に配置される。前記少なくとも１つの振動系は前記２つの磁気回路システムの間に設置される。
【００１６】
一部の実施例において、前記少なくとも１つの振動系は２つの振動系を含む。前記２つの振動系は上下に間隔を置いて配置され、且つ前記２つの磁気回路システムにそれぞれ対応している。
【００１７】
一部の実施例において、前記振動板は回路基板を含み、前記少なくとも１層の駆動路は前記回路基板に印刷される。
【００１８】
一部の実施例において、前記回路基板はフレキシブル基板を含む。
【００１９】
一部の実施例において、前記磁気回路システムは、平行に間隔を置いて配列される複数の第１磁性体を含み、隣り合う２つの第１磁性体ごとに、極性が上下に交互に配置されるか、左右に交互に配置される。
【００２０】
一部の実施例において、前記少なくとも１層の駆動路は複数の平直路を含み、これらの平直路は、隣り合う２つの第１磁性体の間における各駆動空間の真上に対応して設置される。
【００２１】
一部の実施例において、前記磁気回路システムは、前記複数の第１磁性体と間隔を置いて交互に配列される複数の第２磁性体を含み、隣り合う２つの第１磁性体ごとに極性が上下に交互に配置され、隣り合う２つの第２磁性体ごとに極性が左右に交互に配置される。
【００２２】
スピーカー構造に用いられる磁気回路システムを提供する。前記磁気回路システムは、磁性体アレイを含み、前記磁性体アレイは平行に間隔を置いて配列される複数の第１磁性体を含み、隣り合う２つの第１磁性体ごとに、極性が上下／左右に交互に配置される。
【００２３】
一部の実施例において、前記第１磁性体は、永久磁石及び／又は電磁石を含む。
【００２４】
一部の実施例において、前記磁性体アレイは複数の第２磁性体を更に含む。前記複数の第２磁性体は前記複数の第１磁性体と間隔を置いて交互に配列され、隣り合う２つの第２磁性体ごとに、極性が左右／上下に交互に配置される。
【発明の効果】
【００２５】
本発明のスピーカー構造を実施することで、以下の有益な効果を有する。即ち、振動系の駆動路が平面型をなしているため、スピーカー構造の厚さを効果的に減少させられる。
【００２６】
以下に、図面と実施例を組み合わせて本発明につき更に説明する。
【図面の簡単な説明】
【００２７】
【図１】図１は、本発明の第１実施例におけるスピーカー構造の立体構造を示す図である。
【図２】図２は、図１で示したスピーカー構造のＡ−Ａ方向における断面構造を示す図である。
【図３】図３は、図１で示したスピーカー構造の立体分解構造を示す図である。
【図４】図４は、図１で示したスピーカー構造の振動系の立体分解構造を示す図である。
【図５】図５は、図４で示した振動系の底部を上向きにした場合の立体構造を示す図である。
【図６】図６は、図５で示した振動系の立体分解構造を示す図である。
【図７】図７は、図１で示したスピーカー構造のコイルの一部構造を示す図である。
【図８】図８は、本発明の第２実施例におけるスピーカー構造の構成を示す図である。
【図９】図９は、本発明の第３実施例におけるスピーカー構造の構成を示す図である。
【図１０】図１０は、本発明の第４実施例におけるスピーカー構造の構成を示す図である。
【図１１】図１１は、本発明の第５実施例におけるスピーカー構造の部分的な立体構造を示す図である。
【図１２】図１２は、図１１で示したスピーカー構造の縦方向の断面構造を示す図である。
【図１３】図１３は、図１１で示したスピーカー構造における駆動路の構造を示す図である。
【図１４】図１４は、本発明の第６実施例におけるスピーカー構造の縦方向の断面構造を示す図である。
【図１５】図１５は、本発明の第７実施例におけるスピーカー構造の縦方向の断面構造を示す図である。
【発明を実施するための形態】
【００２８】
本発明の技術的特徴、目的及び効果がより明確に理解されるよう、図面を参照して本発明の具体的実施形態につき詳細に説明する。理解すべき点として、以下の記載において、「前」、「後」、「上」、「下」、「左」、「右」、「縦」、「横」、「垂直」、「水平」、「天井」、「底」、「内」、「外」、「先頭」、「末尾」等の向き又は位置関係を示す用語は、図示の向き又は位置関係に基づいて、特定の向きで構成及び操作することを示しているが、これらは本技術方案の記載の便宜上のものにすぎず、対象となる装置又は部材が必ずしも特定の向きを有さねばならないことを指示するものではない。よって本発明を制限するものと理解すべきではない。
【００２９】
図１〜図３は、本発明の第１実施例におけるスピーカー構造１を示す。前記スピーカー構造１は、イヤホン、携帯電話、補聴器等の電子製品に使用可能であり、電気信号を機械的な運動に変換して、最終的に音声信号に変換するものである。前記スピーカー構造１は、ハウジング１０、ハウジング１０内に設置される磁気回路システム２０、及びハウジング１０内に設置されて磁気回路システム２０の作用で運動可能な振動系３０を含み得る。一部の実施例において、磁気回路システム２０はハウジング１０の底壁１１１に設置可能であり、振動系３０は磁気回路システム２０の真上に水平に設置される。振動系３０とハウジング１０の天井壁１２１との間にはキャビティ１２０が規定されている。また、ハウジング１０の一端におけるキャビティ１２０に対応する箇所には放音孔１２３０が開設されている。前記放音孔１２３０は、キャビティ１２０と外部を連通させる。
【００３０】
一部の実施例において、ハウジング１０は直方体状としてもよく、下ハウジング１１と、前記下ハウジング１１に組み合わされる上ハウジング１２を含み得る。一部の実施例において、下ハウジング１１はＵ字型をなしてもよく、平坦な底壁１１１と、前記底壁１１１における対向する両側にそれぞれ立設される第１側壁１１２及び１１３の２つを含み得る。一部の実施例において、上ハウジング１２は逆Ｕ字型をなしてもよく、平坦な天井壁１２１と、前記天井壁１２１における対向する両側から下方に延伸する第２側壁１２２及び１２３の２つを含む。下ハウジング１１と上ハウジング１２は交差するよう掛合して、磁気回路システム２０と振動系３０を収容するための装着スペースを規定する。
【００３１】
一部の実施例において、スピーカー構造１は、ハウジング１０の一端の外部に設置される放音管４０と、ハウジング１０の他端の外部に設置される回路基板５０を更に含み得る。放音管４０は放音孔１２３０と連通し、回路基板５０は振動系３０に電気的に接続される。
【００３２】
一部の実施例において、磁気回路システム２０は、下ハウジング１１の底壁１１１に固定されてアレイ状に配列される複数の磁性体を含み得る。各磁性体の２つの磁極はそれぞれ上側と下側に位置し、且つ隣り合う磁性体の極性は逆向きである。つまり、隣り合う一方の磁性体のＮ極が上側、Ｓ極が下側である場合、他方の磁性体のＮ極は下側、Ｓ極は上側となる。反対の場合も同様である。一部の実施例において、隣り合う磁性体の間には隙間が形成されており、隙間の真上に水平の磁界が形成される。一部の実施例において、磁性体は永久磁石としてもよいし、電磁石としてもよい。一部の実施例において、磁気回路システム２０の磁性体は、全てを永久磁石としてもよいし、全てを電磁石としてもよいし、一部を永久磁石、一部を電磁石としてもよい。
【００３３】
また、図３に示すように、一部の実施例において、磁気回路システム２０は、平行に間隔を置いて下ハウジング１１の底壁１１１に配列される第１磁性体２１、第２磁性体２２及び第３磁性体２３を含み得る。一部の実施例において、第１磁性体２１、第２磁性体２２及び第３磁性体２３は、いずれも矩形の長尺状としてもよい。また、このうち第１磁性体２１と第３磁性体２３の極性が同じとなる。即ち、Ｎ極が上側、Ｓ極が下側となる。一方、第２磁性体２２のＮ極は下側、Ｓ極は上側となる。第１磁性体２１と第２磁性体２２の間には縦長の第１隙間２４が形成されており、第２磁性体２２と第３磁性体２３の間には縦長の第２隙間２５が形成されている。
【００３４】
図４〜図６に示すように、一部の実施例において、振動系３０は、ハウジング１０に固定されるフレーム３１、フレーム３１に固定されるフィルム３２、フィルム３２の下面に装着される基板３３、及び基板３３の下面に装着されるコイル３４を含む。前記コイル３４は、磁気回路システム２０の磁界の作用によって機械運動を生じると同時に、自身に接続されているフィルム３２を共に運動させることで音声を発生させる。一部の実施例において、前記コイル３４は、接着によって基板３３に結合すればよい。コイル３４は、前記振動系３０の平面型の駆動路を構成する。また、フィルム３２と基板３３によって前記振動系３０の振動板が構成される。
【００３５】
一部の実施例において、フレーム３１は、ハウジング１０と一致する矩形の枠形状をなしてもよい。フィルム３２は、周縁でフレーム３１のサイドフレームに組み合わされる。一部の実施例において、フィルム３２はマイラーフィルムによって形成してもよい。一部の実施例において、基板３３はアルミ薄板で製造してもよい。また、基板３３の裏面はフィルム３２の下面に接着可能であり、且つ、フレーム３１に対して上下動可能である。コイル３４は、平面展開状に基板３３の下面に接着可能である。
【００３６】
図７に示すように、一部の実施例において、コイル３４は、直列に接続され且つ上下に積層される平面型の第１コイルユニット３４１と平面型の第２コイルユニット３４２を含み得る。また、これらは一体的に接着してもよい。第１コイルユニット３４１は、導線を外側から内側に向かって螺旋状に１つの平面内で巻くことで形成される。また、第２コイルユニット３４２は、導線を内側から外側に向かって螺旋状に１つの平面内で巻くことで形成される。且つ、これらの螺旋の向きは同一である（即ち、いずれも反時計回り方向又は時計回り方向である）。ここでは、動作過程において第１コイルユニット３４１と第２コイルユニット３４２に流れる電流の方向を同じとすることで、磁気回路システム２０から受ける作用力の方向を同じとする。一部の実施例において、前記コイル３４を形成する導線の直径は０．０２ｍｍ程度とする。
【００３７】
理解し得るように、コイル３４は２層のコイルユニットに限定されず、必要に応じて、１層のコイルユニット又は２層以上のコイルユニットを適用してもよい。また、理解し得るように、コイル３４が複数層のコイルユニットを含む場合には、各層のコイルユニットの巻き方は、内側から外側の螺旋状の巻きと、外側から内側の螺旋状の巻きを交互に配置するとともに、螺旋の向きを同一とする。これにより、各層のコイルユニットにおける電流の方向を一致させる。具体的には、まず、導線を外側から内側に向かって１つの平面内で螺旋状に巻くことでコイルユニットを１層形成する。そして、導線を内側の目標位置まで巻いてから次の層に進み、内側から外側に向かって１つの平面内で螺旋状に巻くことで次層のコイルユニットを形成する。また、更に１層追加したい場合には、再び次の層に進み、外側から内側に向かって螺旋状に巻いて行く。なお、理解し得るように、コイルユニットは螺旋状の巻きに限らず、本発明の構想のもとで、その他の適切な巻き方を採用してもよい。或いは、螺旋状の巻きとその他の巻き方を組み合わせた方式としてもよい。
【００３８】
一部の実施例において、第１コイルユニット３４１と第２コイルユニット３４２はいずれもトラック型をなす。また、第１コイルユニット３４１と第２コイルユニット３４２は、いずれも平行に間隔を置いた２つの平直部分と２つの円弧状部分を含む。前記２つの円弧状部分は、それぞれ前記２つの平直部分の端と端を直列に接続する。
【００３９】
一部の実施例において、第１コイルユニット３４１と第２コイルユニット３４２の２つの平直部分は、それぞれ磁気回路システム２０の第１隙間２４と第２隙間２５の真上に位置している。これにより、前記２つの平直部分をそれぞれ２つの水平磁界内に位置させる。動作過程では、コイル３４に通電すると、左手の法則に従って、前記２つの平直部分が磁気回路システム２０の第１隙間２４と第２隙間２５の真上の水平磁界内で上向き又は下向きの力を受ける。
【００４０】
具体的に、磁気回路システム２０における隣り合う磁性体の極性は逆向きのため、コイルユニットの平直部分の下方には水平方向の磁界が形成される。コイルユニット両側の平直部分の電流の方向は逆向きとなるが、下方の磁界の方向も逆向きである。そのため、平直部分が受ける力の方向が一致するよう保証可能である。交流が流れた場合、コイル３４は力を受けて上下に振動し、基板３３とフィルム３２を振動させる。これにより、空気の振動を引き起こし、音声を発生させる。理解し得るように、第１コイルユニット３４１と第２コイルユニット３４２はトラック型に限らず、一部の実施例では、その他の適切な形状としてもよい。
【００４１】
理解し得るように、本発明の第１実施例におけるスピーカー構造１の構成はシンプルであり、主に、ハウジング１０、磁性体アレイを用いて構成される磁気回路システム２０、及び振動系３０によって構成すればよい。また、加工プロセスもシンプルである。よって、関連技術のスピーカー構造と比較して、コストを５０％以上も削減可能である。且つ、スピーカー構造１の厚さを小さく設定することも可能であり、関連技術における同等のスピーカー構造と比較して厚さを４０％以上も減少させられる。よって、現在の薄型化傾向にいっそう適している。
【００４２】
図８は、本発明の第２実施例におけるスピーカー構造を示す。前記スピーカー構造は、ハウジング１０ａ、磁気回路システム２０ａ及び振動系３０ｃを含む。前記振動系３０ａは、それぞれ第１実施例の振動系３０と類似しているため、ここではこれ以上詳述しない。図中に示す磁気回路システム２０ａは、平行に間隔を置いて配置される複数の電磁石２１ａを含む。各電磁石２１ａは、鉄心２１１ａと、鉄心２１１ａの側面に巻き付けられるコイル２１２ａを含み得る。前記電磁石２１は、通電後に然るべき磁界を発生させて振動系３０ａを動作させる。電磁石２１ａを用いることで、磁気回路システム２０の磁界強度をいっそう良好に制御可能となるため、スピーカー構造を異なる応用シーンに適応させられる。
【００４３】
図９は、本発明の第３実施例におけるスピーカー構造を示す。前記スピーカー構造は複合式のスピーカー構造であり、２つの磁気回路システム２０ｂと２つの振動系３０ｂを含む。前記磁気回路システム２０ｂと振動系３０ｂは、それぞれ第１実施例の磁気回路システム２０及び振動系３０と類似しているため、ここではこれ以上詳述しない。図示するように、第２実施例における２つの磁気回路システム２０ｂは、それぞれハウジング１０ｂの天井壁と底壁に設置されている。また、２つの振動系３０ｂは前記２つの磁気回路システム２０ｂの間に設置され、且つ一対一で対応するよう設置される。
【００４４】
図１０は、本発明の第４実施例におけるスピーカー構造を示す。前記スピーカー構造もまた複合式のスピーカー構造であり、２つの磁気回路システム２０ｃと１つの振動系３０ｃを含んでいる。前記磁気回路システム２０ｃと振動系３０ｃもまた、それぞれ第１実施例の磁気回路システム２０及び振動系３０と類似しているため、ここではこれ以上詳述しない。図示するように、２つの磁気回路システム２０ｃは、それぞれハウジング１０ｃの天井壁と底壁に設置されている。また、振動系３０ｃは前記２つの磁気回路システム２０ｃの間に設置される。
【００４５】
図１１〜図１３に示すように、本発明の第５実施例におけるスピーカー構造１ｄは、ハウジング１０ｄ、ハウジング１０ｄ内に設置される磁気回路システム２０ｄ、及びハウジング１０ｄ内に設置されて磁気回路システム２０ｄの作用で運動可能な振動系３０ｄを含み得る。振動系３０ｄとハウジング１０ｄの天井壁１２１ｄの間にはキャビティ１２０ｄが規定されている。
【００４６】
一部の実施例において、磁気回路システム２０ｄは永久磁石アレイを含み得る。前記永久磁石アレイは、平行に間隔を置いて設置される複数の第１永久磁石２１ｄを含み、２つの隣り合う第１永久磁石２１ｄの間ごとに駆動空間２２ｄを有する。また、隣り合う２つの第１永久磁石２１ｄごとに極性を交互に配置する。第１永久磁石２１ｄはシート状の永久磁石としてもよく、前記シート状の永久磁石が垂直にハウジング１０ｄの底部に固設される。また、その他の実施例において、第１永久磁石２１ｄは帯状の永久磁石としてもよい。一部の実施例では、隣り合う２つの第１永久磁石２１ｄごとに極性を交互に配置して、Ｎ−Ｓ−Ｎの極性構造を形成する。例えば、１つ目、３つ目、５つ目、７つ目の第１永久磁石２１ｄの上端をＮ極、下端をＳ極とし、２つ目、４つ目、６つ目の第１永久磁石２１ｄの上端をＳ極、下端をＮ極とする。また、一部の実施例では、隣り合う２つの第１永久磁石２１ｄごとに隣接する側の極性を交互に配置し、水平方向のＮ−Ｓ−Ｓ−Ｎの極性構造を形成してもよい。例えば、１つ目、３つ目、５つ目、７つ目の第１永久磁石２１ｄの左側をＮ極、右側をＳ極とし、２つ目、４つ目、６つ目の第１永久磁石２１ｄの左側をＳ極、右側をＮ極とする。
【００４７】
振動系３０ｄは、駆動路３１１ｄが設けられたフレキシブル基板３１ｄを含む。前記駆動路３１１ｄは複数の平直路３１１１ｄを含む。これらの平直路３１１１ｄは、隣り合う２つの第１永久磁石２１ｄの間における各駆動空間２２ｄの真上に対応して設置される。駆動路３１１ｄは、１本、２本、３本、ひいては複数本を並べて配列してもよいし、２本以上の駆動路３１１ｄを直列に接続してもよいし、並列に接続してもよい。一部の実施例において、前記平直路３１１１ｄは永久磁石アレイの配列方向に対し垂直に設置される。これにより、電力損失が減少し、効率が向上する。駆動路３１１ｄは、フレキシブル基板３１ｄに印刷されて平面型の駆動路を構成する。また、１層、２層或いは複数層を印刷してもよい。更に、前記振動系３０ｄは、マイラーフィルム３２ｄとフレーム３３ｄを含んでもよい。マイラーフィルム３２ｄはフレーム３３ｄとフレキシブル基板３１ｄを接続し、振動系３０ｄはフレーム３３ｄを介してハウジング１０ｄ内に固定装着される。また、フレーム３３ｄは環状のワッシャーとしてもよく、下ハウジングのボス上に配置してフレキシブル基板３１ｄを支持してもよい。マイラーフィルム３２ｄとフレキシブル基板３１ｄによって前記振動系３０ｄの振動板が構成される。
【００４８】
図１１及び図１３に示すように、駆動路３１１ｄの平直路３１１１ｄは直列に接続される。更に、フレキシブル基板３１ｄには、駆動路３１１ｄの平直路３１１１ｄを直列に接続する湾曲した接続路が設けられている。一部の実施例では、接続路３１１１ｄと平直路３１１２ｄによって略Ｓ型の駆動路３１１ｄが構成される。
【００４９】
隣り合う２つの駆動空間２２ｄごとに、真上に位置する対応する駆動路３１１ｄは電流の方向が逆向きとなる。左手の法則に従って、通電した回路は、磁界内で上向き又は下向きの力を受ける。また、永久磁石アレイの配列から明らかなように、隣り合う２つの各駆動空間２３ｄに発生する磁界の方向は逆向きとなる。そのため、全ての駆動路３１１ｄが受ける力の方向が一致するよう保証可能である（いずれも上方又は下方となる）。駆動路３１１ｄに変動電流が流れると、フレキシブル基板３１ｄが力を受けて上下に振動することで、空気が振動し、音声が発生する。
【００５０】
図１４に示すように、本発明の第６実施例におけるスピーカー構造１ｅは、ハウジング１０ｅ、ハウジング１０ｅ内に設置される磁気回路システム２０ｅ、及びハウジング１０ｅ内に設置されて磁気回路システム２０ｄの作用で運動可能な振動系３０ｅを含み得る。振動系３０ｅとハウジング１０ｅの天井壁１２１ｅとの間にはキャビティ１２０ｅが規定されている。キャビティ１２０ｅは、放音孔（図示しない）を通じて外部と連通可能である。
【００５１】
一部の実施例において、磁気回路システム２０ｅは永久磁石アレイを含み得る。前記永久磁石アレイは、間隔を置いて平行に設置される複数の第１永久磁石２１ｅを含み得る。また、隣り合う２つの第１永久磁石２１ｅの間ごとに、第２永久磁石２３ｅが１つずつ間隔を置いて設置されている。即ち、第１永久磁石２１ｅと第１永久磁石２１ｅは間隔を置いて交互に配列される。また、隣り合う２つの第１永久磁石２１ｅごとに極性を上下に交互に配置し、隣り合う２つの第２永久磁石２３ｅごとに極性を左右に交互に配置する。例えば、図示するように、１つ目、３つ目、５つ目、７つ目の第１永久磁石２１ｅの上端をＮ極、下端をＳ極とし、２つ目、４つ目、６つ目の第１永久磁石２１ｅの上端をＳ極、下端をＮ極とする。また、１つ目、３つ目、５つ目の第２永久磁石２３ｅの左側をＮ極、右側をＳ極とし、２つ目、４つ目、６つ目の第２永久磁石２３ｅの左側をＳ極、右側をＮ極とする。第１永久磁石２１ｅと第２永久磁石２３ｅはシート状の永久磁石としてもよく、前記シート状の永久磁石が垂直にハウジング１０ｅの底部に固設される。また、その他の実施例において、第１永久磁石２１ｅと第２永久磁石２３ｅは帯状の永久磁石としてもよい。
【００５２】
図１５は、本発明の第７実施例におけるスピーカー構造１ｆを示す。スピーカー構造１ｆは、ハウジング１０ｆ、ハウジング１０ｆ内に設置される２つの磁気回路システム２０ｆ、及びハウジング１０ｆ内に設置されて前記２つの磁気回路システム２０ｆの作用でそれぞれ運動可能な２つの振動系３０ｆを含み得る。前記２つの振動系３０ｆは上下に平行に間隔を置いて配置される。また、前記２つの磁気回路システム２０ｆは、それぞれ前記２つの振動系３０ｆの上下両側に設置されるとともに、鏡像をなすよう配置される。磁気回路システム２０ｆ及び振動系３０ｆの具体的構造には、それぞれ磁気回路システム２０及び振動系３０と同様の構造を採用可能なため、ここでは改めて詳述しない。
【００５３】
理解し得るように、上記の各技術的特徴は、制限なく任意に組み合わせて使用することが可能である。
【００５４】
以上の記載は本発明の実施例にすぎず、これにより本発明の権利範囲が制限されることはない。本発明の明細書及び図面の内容を用いてなされる等価の構造又は等価のフローの変更、或いはその他関連技術分野への直接的又は間接的な運用は、いずれも同様に本発明の権利の保護範囲に含まれる。
【図１】
2022502911.tif 000003
【図２】
2022502911.tif 000004
【図３】
2022502911.tif 000005
【図４】
2022502911.tif 000006
【図５】
2022502911.tif 000007
【図６】
2022502911.tif 000008
【図７】
2022502911.tif 000009
【図８】
2022502911.tif 000010
【図９】
2022502911.tif 000011
【図１０】
2022502911.tif 000012
【図１１】
2022502911.tif 000013
【図１２】
2022502911.tif 000014
【図１３】
2022502911.tif 000015
【図１４】
2022502911.tif 000016
【図１５】
2022502911.tif 000017
【国際調査報告】
2022502911.tif 000018
2022502911.tif 000019
2022502911.tif 000020
2022502911.tif 000021